(57)【要約】【課題】緑化装置が大重量であっても、何時でも誰でも安全、低コスト、短時間に移動できること。【解決手段】多面的な緑化面を有する緑化ユニットと、緑化ユニットを搭載した基台とを具備した緑化装置の移動方法であって、基台に、基台の下面と床面との間に流体キャスタを介装可能な凹部を形成し、基台の下面と床面との間に介装した複数の流体キャスタを使用して緑化装置を浮上させて移動すること。【選択図】図１
2010017160.tif 000002
【特許請求の範囲】
【請求項１】
多面的な緑化面を有する緑化ユニットと、前記緑化ユニットを搭載した基台とを具備した緑化装置であって、
前記基台に、該基台の下面と床面との間に流体キャスタを介装可能な凹部を形成したことを特徴とする、
緑化装置。
【請求項２】
請求項１において、前記緑化ユニットが少なくとも２面の緑化面を有する複数の多面緑化体で構成され、前記多面緑化体を単位として交換可能であることを特徴とする、緑化装置。
【請求項３】
請求項２において、前記緑化ユニットが、少なくとも２面の緑化面を有する複数の多面緑化体を閉鎖形状に組立て、前記複数の多面緑化体の内方に中央植栽領域を形成したことを特徴とする、緑化装置。
【請求項４】
多面的な緑化面を有する緑化ユニットと、前記緑化ユニットを搭載した基台とを具備した前記請求項１乃至３の何れかに記載した緑化装置の移動方法であって、
前記基台に、該基台の下面と床面との間に流体キャスタを介装可能な凹部を形成し、
前記凹部に介して、複数の流体キャスタを基台の下面と床面との間に介装し、
前記複数の流体キャスタに流体を供給して緑化装置を移動可能に浮上させたことを特徴とする、
緑化装置の移動方法。
【発明の詳細な説明】
【技術分野】
【０００１】
本発明は緑化装置とその移動方法に関するものである。
【背景技術】
【０００２】
大型商業施設等の無機質な大広場に緑化を図る手段として、例えば貯水部を内蔵した大型プランター容器を使用し、周囲を周壁で囲み上部を開放したプランター容器内の軽量土壌に各種の植物を植生した緑化装置が特許文献１に開示されている。
また、複数のポット部を具備したトレーと、複数のトレーを収容可能な見切り材とを組み合わせてユニット化して、季節毎に植物の植え替えを可能にした植栽ユニットが特許文献２に開示されている。
さらに、プランター容器の底部に複数のキャスターを設けて、植生基盤入りで重量のあるプランター容器を移動可能に構成した緑化装置が特許文献３に開示されている。
【０００３】
【特許文献１】特開２００４−４１１９６号公報
【特許文献２】特開２００４−３３０８７号公報
【特許文献３】特開２００７−１７５０３４号公報
【発明の開示】
【発明が解決しようとする課題】
【０００４】
従来の緑化技術にはつぎのような改善すべき点がある。
（１）自然の緑化景観を醸し出すには、大型のプランターを使用して各種の草花や植木を混生させている。
このような全体重量が数トンから数十トンにもおよぶ大型緑化装置の設置や撤去に多大の労力と時間を要する。
（２）特許文献２に開示された植栽ユニットにあっては、植替え対象が草花類に限定されれて木本類の植替えに適さないことと、植生範囲がトレーの上面のみであるから緑化面積を十分に確保できないといった問題がある。
（３）全重量を複数のキャスターで支持する特許文献３の緑化装置にあっては、重量がキャスターに集中するため、キャスターが接する床面の面圧が非常に大きくなる。
そのため、緑化装置の移動に大きな力を要することのほかに、床面を傷つけるおそれがある。
このようなことから、キャスターで移動できる緑化装置の重量に一定の制限があり、数トンにもおよぶ大型緑化装置の移動には適さない。
（４）全体重量が数トンから数十トンにもおよぶ重量の重たい緑化装置を搬出入したり移動する場合、フォークリフトやクレーンで吊り上げているが、立木等が混生していると重心がアンバランスとなって転倒する危険がある。
そのため、緑化装置を移動するには移送用重機だけでなく専門オペレータに頼らざるを得ないから、移動コストが高くつくだけでなく、誰でも短時間に移動することができない。
（５）大型商業施設等の広場に設置した大型緑化装置は、既述したように簡易に移動したり、植物の種類を変えたりすることに不十分である。
そのため、従来の各種緑化装置は、広場の多目的使用や緑化空間の提供の面で十分に活用されておらず、その改善技術の提案が望まれている。
【０００５】
本発明は以上の点に鑑みて成されたもので、その目的とするところは、少なくともつぎのひとつの緑化装置とその移動方法を提供することにある。
（１）緑化装置が大重量であっても、安全、低コスト、短時間に移動できること。
（２）大型重機や専門オペレータを必要とせずに、緑化装置を何時でも誰でもスムーズに任意の場所に移動できること。
（３）緑化装置を設置した場所の有効活用が図れること。
（４）草花類や木本類の混生と交換に適しているだけでなく、緑化装置の据付面積に対する緑化面積が卓越して立体的で多様な緑化の景観を提供できること。
【課題を解決するための手段】
【０００６】
本願の第１発明は、多面的な緑化面を有する緑化ユニットと、前記緑化ユニットを搭載した基台とを具備した緑化装置であって、前記基台に、該基台の下面と床面との間に流体キャスタを介装可能な凹部を形成したことを特徴とする、緑化装置を提供する。
本願の第２発明は、前記第１発明において、前記緑化ユニットが少なくとも２面の緑化面を有する複数の多面緑化体で構成され、前記多面緑化体を単位として交換可能であることを特徴とする、緑化装置緑化装置を提供する。
本願の第３発明は、前記第２発明において、前記緑化ユニットが、少なくとも２面の緑化面を有する複数の多面緑化体を閉鎖形状に組立て、前記複数の多面緑化体の内方に中央植栽領域を形成したことを特徴とする、緑化装置を提供する。
【０００７】
本願の第４発明は、多面的な緑化面を有する緑化ユニットと、前記緑化ユニットを搭載した基台とを具備した前記第１乃至３発明の何れかに記載した緑化装置の移動方法であって、前記基台に、該基台の下面と床面との間に流体キャスタを介装可能な凹部を形成し、前記凹部に介して、複数の流体キャスタを基台の下面と床面との間に介装し、前記複数の流体キャスタに流体を供給して緑化装置を移動可能に浮上させたことを特徴とする、緑化装置の移動方法を提供する。
【発明の効果】
【０００８】
本発明は次の特有の効果を得ることができる。
（１）取扱操作が簡単な流体キャスタを使用して大重量の緑化装置を簡単に浮上させることができるから、緑化装置を安全、低コスト、短時間に移動することができる。
（３）大型重機や専門オペレータを必要とせずに、緑化装置を何時でも誰でもスムーズに任意の場所に移動することができる。
（４）緑化装置の移動が簡単であるから、緑化装置を設置した場所の有効活用を図ることができる。
（５）移動可能な緑化装置は少なくとも２面の緑化面を有する複数の多面緑化体で構成されるから、草花類や木本類の混生に適しているだけでなく、多面緑化体の単位で部分的な交換も可能であり、移動可能な緑化装置としてはこれまでにない立体的で多様な緑化の景観を提供できることが可能となる。
【発明を実施するための最良の形態】
【０００９】
以下に図面を参照しながら、本発明を実施するための最良の形態について説明する。
【００１０】
（１）緑化装置
図１〜３に本発明に係る緑化装置１０の一例を示す。
緑化装置１０は大規模緑化に適した装置であって、流体キャスタ５０を介装可能な基台２０と、基台２０に搭載した緑化ユニット３０とにより構成される。
本発明では緑化ユニット３０を複数の多面緑化体３０ａ，３０ｂの組合せ体で構成する場合について説明するが、各種公知の緑化ユニットを適用してもよい。
以下に各構成部材について詳述する。
【００１１】
（２）基台
基台２０は緑化ユニット３０を搭載して支承可能な板体であり、その平面形状に制約は特にないが、緑化ユニット３０の底面形状と略同形に形成することが望ましい。
緑化装置１０全体の横移動に対処するため、基台２０の下面の周縁部を窪ませて凹部２１が形成してある。
凹部２１は基台２０の下面と床４０との間に流体キャスタ５０を介装セットするための設置空間として機能するものであるから、流体キャスタ５０の高さより僅かに大きい寸法で凹設される。
また本例では、凹部２１を基台２０の下面の周縁部に連続して形成した場合について説明するが、基台２０の下面の周縁部の複数の箇所に部分的に形成してもよい。
【００１２】
要は、凹部２１の形成されていない基台２０の下面の範囲を支持面２２として形成し、通常はこの支持面２２を床面４０に着床させて緑化装置１０を移動不能に設置できて、支持面２２を床４０に着床した状態で基台２０の下面と床面との間に流体キャスタ５０を介装できる空間が形成されていればよい。
尚、床面４０に別途の台部材を置き、台部材に基台２０を載置して基台２０全体を嵩上げした状態で、基台２０に凹部がなくとも流体キャスタ５０を介装することも可能である
【００１３】
基台２０の上面には外方向に向けて複数の斜材２４が立設されていて、各斜材２４の上部間に中間バー２５が着脱自在に横架されている。
緑化ユニット３０の外方に位置させた中間バー２５に腰掛けたり、もたれたりして人々に休息場所を提供できるように、各斜材２４の全長が設定されている。
中間バー２５は緑化ユニット３０を囲繞するように環状の形態であってもよいが、緑化ユニット３０に対して間欠的に設けてもよい。
尚、中間バー２５は必須ではなく省略する場合もある。
【００１４】
（３）緑化ユニット
図２に基台２０を省略した緑化ユニット３０の一例を示す。
緑化ユニット３０は草花類や木本類の多面的な植生が可能な構造体である。
多面的な植生とは、複数の植生面を有する意味である。
本例で多面的な植生を図るため、複数種類の多面緑化体３０ａ，３０ｂを組み合わせて緑化ユニット３０を構成する場合について説明する。
緑化ユニット３０を複数の多面緑化体３０ａ，３０ｂで構成するのは、緑化ユニット３０の部分的な交換を可能とするためである。
このように構成することで、設置場所に応じたきめ細かい緑化空間を提供できる。
【００１５】
具体的には、緑化ユニット３０の平面形状が井桁状を呈するように、基台２０の上面に複数種類の多面緑化体３０ａ，３０ｂを隣接させて搭載するとともに、複数の多面緑化体３０ａ，３０ｂで囲んだ中央空間を中央植栽領域３０ｃとして利用する。
両多面緑化体３０ａ，３０ｂは、環境の整った別の場所で、所定の緑化面に植生させて予め製作したものを使用することも可能である。
予め緑化面に合うサイズでマット状に製作した緑化マットを使用してもよい。
中央植栽領域３０ｃは、基台２０の上面に複数種類の多面緑化体３０ａ，３０ｂを搭載して中央空間を形成した後に、該空間内に客土して植生する。
複数の多面緑化体３０ａ，３０ｂで囲まれた中央植栽領域３０ｃには、予め緑化した多面緑化体（図示を省略）を置くことも可能であり、或いは客土して植生又は植栽することも可能である。
【００１６】
［多面緑化体］
多面緑化体３０ａ，３０ｂは、少なくとも２面の緑化面を有する緑化体であり、上口を開放した有孔構造の箱体３１と、箱体３１に収容した植生基盤３２と、箱体３１の複数の面に植生した植物とにより構成される。
【００１７】
緑化ユニット３０の角部に設置する多面緑化体３０ａは、隣り合う二つの側面と上面とを緑化面として形成し、また多面緑化体３０ａ，３０ａの間に設置予定の残りの多面緑化体３０ｂは、一つの側面と上面とを緑化面として形成している。
各多面緑化体３０ａ，３０ｂの緑化面となる側面は、図示するように裾広がりとなるように傾斜させて形成するが、鉛直に形成してもよい。
尚、図２においては、図示の簡略化の目的で、一部の多面緑化体３０ａ，３０ｂに緑化面を表記し、他の多面緑化体３０ａ，３０ｂについての図示を省略している。
【００１８】
各多面緑化体３０ａ，３０ｂを構成する箱体３１は、例えばパネル状を呈する溶接金網等を組合わせて植生基盤３２を収容要可能な箱状に製作したもので、少なくとも四つの側面を有する。箱体３１の底面は設けてもよいが、省略する場合もある。
また、各箱体３１の底部は、図１に示すように基台２０と嵌合可能な形状に形成しておくと、各多面緑化体３０ａ，３０ｂと基台２０との一体性が高まるとともに、基台２０の目隠し効果を期待できる。
【００１９】
また、図１において、基台２０の上面は遮水シート３３で覆い、さらに必要に応じて流出防止マット、灌水タンク等の設備も併せて搭載する。
【００２０】
（４）流体キャスタ
図３に基台２０の凹部２１に複数の流体キャスタ５０を配置した一例を示す。
流体キャスタ５０は所定の間隔を隔てて基台２０の対称位置に設けることが望ましい。
流体キャスタ５０の設置数や設置位置は、浮上対象の緑化装置１０の大きさと重量等を考慮して適宜選択する。
【００２１】
緑化装置１０の全体を浮上させるための流体キャスタ５０は、例えばキャスタ本体の底部中央に設けられた円盤状の支持部材５１と、支持部材５１の周囲に設けられたタイヤチューブ状のトーラスバッグ５２とを具備する。
支持部材５１はトーラスバッグ５２に直接荷重がかからないように保護している。
【００２２】
トーラスバッグ５２は配管５３を介してコンプレッサ等の流体供給手段５４と連通していて、流体供給手段５４からトラースバッグ５２へエア等の流体を供給できるようになっている。
流体キャスタ５０としては、エアーキャスタが好適であるが、その他にはウォーターキャスター、オイルキャスター等、他の流体を用いた流体キャスターを用いてもよい。
【００２３】
本発明は緑化装置１０の持上げ手段として流体キャスタ５０を採用するものである。
流体キャスタ５０を採用した理由は、緑化装置１０の持上げ量をできるだけ小さくして緑化装置１０の姿勢の安定性を確保するためと、流体キャスタ５０の操作方法が簡単で誰でも簡単安全に使用することができるからである。
【００２４】
［緑化装置の特性］
基台２０に搭載した緑化ユニット３０はつぎの多くの優れた特性がある。
【００２５】
緑化ユニット３０を複数の多面緑化体３０ａ，３０ｂで構成することから、緑化ユニット３０の大きさに制約を受けない。
そのため、大規模緑化に適した緑化装置１０を提供することができる。
【００２６】
さらに、緑化ユニット３０の上面だけでなく、その側面にも緑化面が形成されるから、緑化装置１０の据付面積に対する緑化面積が卓越した、より立体的で多様な緑化環境を提供することができる。
特に、複数の多面緑化体３０ａ，３０ｂで囲まれた中央植栽領域３０ｃも緑化面として活用できるので、より多くの緑化面積を確保することができるとともに、多面緑化体３０ａ，３０ｂの緑化面や中央植栽領域３０ｃへ草花類や木本類の多面的な混生が可能となって、自然に近い景観を提供することができる。
【００２７】
また緑化ユニット３０を構成する各多面緑化体３０ａ，３０ｂの単位で交換が可能である。
四季に応じた植物の入替えや、枯死植物の修復等を簡単に行うことができる。
【００２８】
［緑化装置の移動方法］
つぎに緑化装置１０の移動方法について説明する。
【００２９】
（１）流体キャスタのセット
図１，３に示すように、緑化装置１０の基台２０の凹部２１と床４０の表面との間に複数の流体キャスタ５０を挿入する。
本発明では、重量物の緑化装置１０を搬送するに際し、複数の流体キャスタ５０を緑化装置１０の下部に介装するだけの操作でよく、従来方法で用いていたフォークリフトやクレーンは不要である。
また、緑化装置１０の移動経路に沿って床４０に空気を通さずかつ平滑な面を有するポリエチレンシート、塩化ビニール等の公知のシートを敷設しておく。
床４０が平滑である場合、シートの敷設は不要である。
【００３０】
（２）緑化装置の浮上
配管５３を介して流体供給手段５４から複数の流体キャスタ５０へエア等の流体を供給して、緑化装置１０を僅かに浮上させる。
流体キャスタ５０の浮上作用について説明する。
流体の供給を開始すると、トラースバッグ５２が膨張し、床４０の表面との間に形成された密閉空間に空気が充填される。
内圧が上昇し、上載荷重とバランスするようになると、トーラスバッグ５２と床４０の表面との間から空気が均一に漏れ出して荷重はエア等の流体膜の上に乗った状態となる。
図１は緑化装置１０を僅かに浮上させた状態を示す。
【００３１】
（３）緑化装置の移動操作
流体キャスタ５０により浮上した緑化装置１０と床４０との間には摩擦を生じない。
各流体キャスタ５０と床４０との間に流体膜が形成されることに伴い、この間の摩擦は大幅に軽減される。
そのため、大重量の緑化装置１０であっても、少人数の人力で移動することができる。
緑化装置１０はその全体を床４０の表面から数ｍｍ〜１００ｍｍ程度持上げられるだけであるから、水平方向の傾きがほとんどなく、安定した姿勢のまま安全に移動できる。
【００３２】
緑化装置１０を浮上させた状態において、緑化ユニット３０の植生面を直接押すと、植物が傷つく恐れがあるだけでなく、設置予定位置における緑化装置１０の向きや設置位置の微調整がし難い。
本発明では緑化ユニット３０の周囲に設けた中間バー２５を利用して植物を傷めることなく緑化装置１０の円滑な移動が可能となるだけでなく、設置予定位置における緑化装置１０の向きや設置位置の微調整が簡単に行える。
また緑化装置１０の設置後において、中間バー２５を人々が休息するための椅子等として有効活用することもできる。
【００３３】
［緑化装置の利用例］
緑化装置１０を例えば、大広場やショッピングモールの通路等に設置した場合は、既述したように多くの人々が視覚的に緑化を楽しむだけでなく、直接触れて楽しむことができたり、休息の場として活用することができる。
この種の大広場やショッピングモールの通路を利用して、各種イベントを開催する場合がある。
イベント開催に対応するには、既述したように流体キャスタ５０を用いて緑化装置１０を邪魔にならない場所へ簡単に移動でき、イベント終了後も同様に流体キャスタ５０を用いて緑化装置１０を元の位置まで簡単に復帰することができる。
このように、大型重機や専門オペレータを必要とせずに、緑化装置１０を何時でも誰でもスムーズに任意の場所に移動することができる
したがって、緑化装置１０を設置した大広場やショッピングモールの通路等のの有効活用を図ることが可能である。
【００３４】
［その他の実施の形態］
以降に他の実施の形態について説明するが、その説明に際し、前記した実施の形態１と同一の部位は同一の符号を付してその詳しい説明を省略する。
【００３５】
図４，５に、緑化装置１０を構成する他の緑化ユニット３０の平面形状を例示する。尚、基台の図示は省略されている。
【００３６】
図４は平面形状が菱形を呈する多面緑化体３０ｄと、平面形状が方形を呈する多面緑化体３０ｂを組み合わせて、平面形状が五角形の緑化ユニット３０を構成する場合を示す。
【００３７】
図５は平面形状が六角形を呈する複数の多面緑化体３０ｅを組み合わせて、平面形状が略三角形の緑化ユニット３０を構成する場合を示す。
【００３８】
緑化ユニット３０や多面緑化体の平面形状は、既述した例示の形態に限定されず、任意の形状を選択することができる。
【００３９】
何れの形態にあっても、多面緑化体が少なくとも２面の緑化面を有することと、複数の多面緑化体で囲まれた内側に中央植栽領域３０ｃを形成することは既述した実施の形態と同様である。
【図面の簡単な説明】
【００４０】
【図１】本発明に係る緑化装置の縦断面図
【図２】緑化装置を構成する緑化ユニットの一例の説明図
【図３】図１におけるIII-IIIの矢視図
【図４】緑化装置を構成する他の緑化ユニットの平面図
【図５】緑化装置を構成する他の緑化ユニットの平面図
【符号の説明】
【００４１】
１０・・・・・緑化装置
２０・・・・・基台
２１・・・・・凹部
２２・・・・・支持面
２５・・・・・中間バー
３０・・・・・緑化ユニット
３０ａ〜３０ｄ・・・多面緑化体
３１・・・・・箱体
３２・・・・・植生基盤
４０・・・・・床
５０・・・・・流体キャスタ
５１・・・・・支持部材
５２・・・・・トーラスバッグ
５４・・・・・流体供給手段
【図１】
2010017160.tif 000003
【図２】
2010017160.tif 000004
【図３】
2010017160.tif 000005
【図４】
2010017160.tif 000006
【図５】
2010017160.tif 000007